(57)【特許請求の範囲】
【請求項１】
カラーコピーおよびカラープリントの何れかを行うカラー画像形成装置と、該カラー画像形成装置による関係者撮影用の撮影手段とを有した画像処理装置において、
該撮影手段は、該カラー画像形成装置に、少なくとも該撮影手段を特定する撮影特定情報を転送するように構成され、
該カラー画像形成装置に、該撮影特定情報と該カラー画像形成装置を特定する画像形成装置特定情報とをパターン化した特定パターンを、全カラー原稿に対してコピーまたはプリント画像に付加する特定パターン付加手段と、該全カラー原稿に対して、カラーコピー時はコピー動作中に関係者撮影を行い、また、カラープリント時はプリント動作終了後に排紙部からの用紙の取り出しを検出して関係者撮影を行うように該撮影手段を制御する撮影制御手段とを設けた画像処理装置。
【請求項２】
前記撮影手段は、コピーまたはプリントされた用紙面とその関係者とを共に撮影するべく、排紙側に配置された請求項１に記載の画像処理装置。
【請求項３】
前記撮影制御手段は、同一のカラーコピーまたはカラープリントの複数枚の設定を検出することにより、最初の１枚のカラーコピーまたはカラープリントを行うときだけ前記撮影手段による関係者撮影を行うように制御する請求項１または２に記載の画像処理装置。
【請求項４】
前記カラー画像形成装置と撮影手段は分離配置自在な構成および一体化構成の何れかとする請求項１〜３の何れかに記載の画像処理装置。
【請求項５】
前記撮影情報の保存は、前記撮影手段の本体側による保存および前記カラー画像形成装置による保存の何れかとする請求項１〜４の何れかに記載の画像処理装置。
【発明の詳細な説明】
【０００１】
【発明の属する技術分野】
本発明は、カラー原稿やカラーデータなどの画像情報を再生処理する画像処理装置に関する。
【０００２】
【従来の技術】
従来、この種の画像処理装置は、カラー画像形成装置としての例えばカラーデジタル複写機の機種や機器自体を特定するための特定パターンを付加して印字を行い、その出力画像を用いて、紙幣などの複写禁止画像がコピーされたコピー機種や機器自体を特定可能とするものである。
【０００３】
【発明が解決しようとする課題】
上記従来のカラーデジタル複写機では、紙幣などの複写禁止画像がコピーされた場合に、カラーコピー画像に特定パターンが印字されることによって、コピー機種や機器自体の特定までは比較的容易に行うことができるが、最近のカラーデジタル複写機の用途がコンビニエンスストアなどにて不特定多数の人が使用するケースが増加し、複写禁止画像を誰がコピーをしたのか誰がプリントしたのかまでは特定するのが困難であった。
【０００４】
また、特開平７−４４７７７号公報「複写機監視システム」にて、紙幣などの偽造防止パターンを検知するパターン検知装置とビデオカメラとを連動し、パターン検知装置によりコピー画像が偽造防止原稿と判断された場合に、ビデオカメラを動作させて操作者を撮る方法が記載されている。ところが、この方法では、検知できる偽造防止パターンの種類には限界が有り、例えば外国紙幣など全てのコピー禁止原稿に対してビデオカメラを連動させることは到底できず、問題発生時の処置が不十分であった。
【０００５】
本発明は、上記従来の事情に鑑みて為されたもので、全てのコピー禁止原稿に対して誰がコピーしたのか誰がプリントしたのかを容易かつ確実に特定することができる画像処理装置を提供することを目的とする。
【０００６】
【課題を解決するための手段】
本発明のカラー画像形成装置は、カラーコピーおよびカラープリントの何れかを行うカラー画像形成装置と、このカラー画像形成装置による関係者撮影用の撮影手段とを有した画像処理装置において、撮影手段は、カラー画像形成装置に少なくとも撮影手段を特定する撮影特定情報を転送するように構成され、カラー画像形成装置に、撮影特定情報とカラー画像形成装置を特定する画像形成装置特定情報とをパターン化した特定パターンを、全カラー原稿に対してコピーまたはプリント画像データに付加する特定パターン付加手段と、該全カラー原稿に対して、カラーコピー時はコピー動作中に関係者撮影を行い、また、カラープリント時はプリント動作終了後に排紙部からの用紙の取り出しを検出して関係者撮影を行うように撮影手段を制御する撮影制御手段とを設けたものであり、そのことにより上記目的が達成される。
【０００７】
この構成により、撮影手段からの撮影特定情報とカラー画像形成装置を特定する画像形成装置特定情報とをパターン化した特定パターンを、コピーまたはプリント画像データに付加するので、撮影特定情報と画像形成装置特定情報との両情報により、コピーまたはプリント画像に応じて、撮影手段で撮影した関係者撮影画像を特定することが可能となる。したがって、紙幣などの全カラー禁止原稿のみならず、全カラー原稿に対して誰がコピーをしたのか誰がプリントしたのかを容易かつ確実に特定することが可能となる。
【０００８】
また、カラーコピー時はコピー動作中に撮影手段による関係者撮影をし、また、カラープリント時はプリント動作終了後に、排紙部からの用紙の取り出しを検出して撮影手段による関係者撮影をするようにしたので、コピーまたはプリント操作者などの関係者を確実に撮影することが可能となる。この場合に、所定時だけの撮影動作となるので、撮影数量が少なくなることにより、撮影手段による関係者撮影を長期間可能とし、撮影データの長期間保存も可能となる。
【００１０】
また、好ましくは、本発明のカラー画像形成装置における撮影手段は、コピーまたはプリントされた用紙面とその関係者とを共に撮影するべく、排紙側に配置する。
【００１１】
この構成により、操作者などの関係者とコピーまたはプリントされた用紙Ｐの両方を撮影することで、コピーまたはプリントした画像と関係者とを一致させることが可能となって、全てのコピー禁止原稿に対して誰がコピーを取ったのか誰がプリントしたのかを容易かつ確実に特定することが可能となる。
【００１２】
さらに、好ましくは、本発明のカラー画像形成装置における撮影制御手段は、同一のカラーコピーまたはカラープリントの複数枚設定を検出することにより、最初の１枚のカラーコピーまたはカラープリントを行うときだけ、撮影手段による関係者撮影を行うように制御する。
【００１３】
この構成により、同一のカラーコピーまたはカラープリントを行うときは、１回だけの関係者撮影とすることで、その撮影数量がより少なくなって、関係者撮影が長期間可能となり、また、撮影データの長期間保存も可能となる。
【００１４】
さらに、好ましくは、本発明のカラー画像形成装置におけるカラー画像形成装置と撮影手段は分離配置自在な構成および一体化構成の何れかとする。
【００１５】
この構成により、カラー画像形成装置と撮影手段とを分離配置することにより、撮影手段を人の手の届かない所に設置することで、安全に関係者撮影をすることが可能となる。また逆に、カラー画像形成装置と撮影手段とを一体化にすることで、カラー画像形成装置の設置時に撮影手段の面倒な配線処理や、撮影手段の取付けなどが不要となり、取り扱いが便利である。さらに、カラー画像形成装置に撮影手段による撮影機能を付加すればカメラなどの撮影手段を兼用することも可能となる。
【００１６】
さらに、好ましくは、本発明のカラー画像形成装置における撮影情報の保存は、撮影手段の本体側による保存およびカラー画像形成装置による保存の何れかとする。
【００１７】
この構成により、撮影手段による撮影情報の保存の場合、例えばスチルカメラでは、撮影手段とフィルムまたはメモリが一体の構成となっているのが一般的であるので、汎用のものを容易に使用することが可能である。また、カラー画像形成装置による保存の場合、例えばビデオカメラにおいては、防犯用の撮影手段を用いて、撮影したデータはカラー画像形成装置で保存することで長期の撮影が可能となる。
【００１８】
【発明の実施の形態】
以下、本発明の実施形態に係る画像形成装置は、カラー画像形成装置としてのカラーデジタル複写機と、カラーデジタル複写機による操作者撮影用のカメラとを備えているため、カラーデジタル複写機についてその構成を一通り説明した後に、操作者撮影用のカメラを加えた本発明の特徴部分の実施形態について詳細に説明する。
【００１９】
図１は、本発明の一実施形態で用いるデジタルカラー複写機の内部構成を示す正面断面図である。図１において、デジタルカラー複写機１は、複写機本体上面に設けられた原稿台２および操作パネル（図示せず）と、原稿台２上側の両面自動原稿送り装置３（ＲＡＤＦ；Ｒｅｃｉｒｃｕｌａｔｉｎｇ  Ａｕｔｏｍａｔｉｃ  Ｄｏｃｕｍｅｎｔ  Ｆｅｅｄｅｒ）と、複写機本体内部に設けられた画像読み取り部４、給紙部５、画像形成部６および、画像形成部６による転写トナー像を用紙Ｐ上に定着させる定着装置７とを備えている。
【００２０】
両面自動原稿送り装置３は、原稿台２の上面側に、原稿台２に対して開閉可能な状態で支持され、原稿台２の面に対して所定の位置関係をもって装着されている。この両面自動原稿送り装置３は、原稿の一方の面が原稿台２の所定位置において画像読み取り部４に対向するよう原稿を搬送し、この一方の面についての画像読み取りが終了した後に、他方の面が原稿台２の所定位置において画像読み取り部４に対向するように原稿を反転させて原稿台２に向かって搬送するようになっている。さらに、両面自動原稿送り装置３は、１枚の原稿について両面の画像読み取りが終了した後に、この原稿を排出し、次の原稿についての両面搬送動作を実行するようになっている。なお、以上の原稿の搬送および表裏反転の動作は、複写機全体の動作に関連して制御されるものである。
【００２１】
画像読み取り部４は、両面自動原稿送り装置３により原稿台２上に搬送されてきた原稿の画像を読み取るために、原稿台２の下方に配置されている。この画像読み取り部４は、原稿台２の下面に沿って平行に往復移動する原稿走査体４１，４２と、光学レンズ４３と、光電変換素子であるＣＣＤラインセンサ４４とを有している。
【００２２】
原稿走査体４１は第１の走査ユニットから構成され、原稿走査体４２は第２の走査ユニットから構成されている。第１の走査ユニットは、原稿画像表面を露光する露光ランプ４１１と、原稿からの反射光像を所定の方向に向かって偏向する第１ミラー４１２とを有し、原稿台２の下面に対して一定の距離を保ちながら所定の走査速度で平行に往復移動するものである。また、第２の走査ユニットは、第１の走査ユニットの第１ミラー４１２により偏向した原稿からの反射光像を更に所定の方向に向かって偏向する第２ミラー４２１および第３ミラー４２２とを有し、第１の走査ユニットと一定の速度関係を保って平行に往復移動するものである。
【００２３】
光学レンズ４３は、第２の走査ユニットの第３ミラー４２２により偏向された原稿からの反射光像を縮小し、縮小された光像をＣＣＤラインセンサ４４上の所定位置に結像させるものである。
【００２４】
ＣＣＤラインセンサ４４は、結像された光像を順次光電変換して電気信号として出力するものである。ＣＣＤラインセンサ４４は、白黒画像またはカラー画像を読み取り、Ｒ（赤）、Ｇ（緑）、Ｂ（青）の各色成分に色分解したラインデータを出力することのできる３ラインのカラーＣＣＤである。このＣＣＤラインセンサ４４により電気信号に変換された原稿画像情報は、後述する図２の画像処理部１０に転送されて所定の画像データ処理が施される。
【００２５】
次に、給紙部５について説明する。給紙部５は、給紙機構５１と用紙搬送部５２とを有している。
【００２６】
給紙機構５１は、画像形成部６の下方に配置されており、用紙カセット５１１内に積載収容されている用紙（記録媒体）Ｐを１枚ずつ上側から分離して画像形成部６に向かって供給するものである。本デジタルカラー複写機１においては、用紙Ｐとしてカットシート状の紙が使用される。
【００２７】
用紙搬送部５２は、一対のレジストローラ５２１と、その下流側の転写用紙搬送ベルト機構５２２と、更に下流側の切り換えゲート５２３と、用紙排出経路５２４と、スイッチバック搬送経路５２５と、用紙再搬送経路５２６とを有している。
【００２８】
一対のレジストローラ５２１は、給紙機構５１によって１枚ずつ分離供給された用紙Ｐが、画像形成部６の手前でタイミングが制御されて画像形成部６に搬送させるものである。
【００２９】
転写用紙搬送ベルト機構５２２は、画像形成部６の下方に配置されており、駆動ローラ５２２ａと従動ローラ５２２ｂとの間に略平行に伸びるように張架された転写搬送ベルト５２２ｃに用紙Ｐを静電吸着させて搬送する構成となっている。転写搬送ベルト５２２ｃは駆動ローラ５２２ａによって、図１の矢印Ｚで示す方向に摩擦駆動され、用紙Ｐを把持しつつ搬送するようになている。
【００３０】
切り換えゲート５２３は、定着装置７の一対の定着ローラ間におけるニップ部を通過した用紙Ｐを、複写機本体外へ用紙Ｐを排出する用紙排出経路５２４と、画像形成部６に向かって用紙Ｐを再供給する用紙再搬送経路５２６との間で選択的に切り換えるものである。
【００３１】
用紙排出経路５２４は、搬送方向切り換えゲート５２３の下流側に設けられた排出ローラ対５２４ａと、複写機本体の外壁に取り付けられた排紙部としての排紙トレイ５２４ｂとを有し、搬送方向切り換えゲート５２３を経た用紙Ｐは排出ローラ対５２４ａによって排紙トレイ５２４ｂ上に排出される。
【００３２】
スイッチバック搬送経路５２５は、切り換えゲート５２３により再び画像形成部６に向かって搬送方向が切り換えられた用紙Ｐを表裏反転するべく、スイッチバック搬送するためのものである。
【００３３】
用紙再搬送経路５２６は、スイッチバック搬送経路５２５を介して表裏反転された用紙Ｐが、一対のレジストローラ対５２１を介して画像形成部６へと再度供給するためのものである。つまり、片面に画像が形成された用紙Ｐは、画像形成部６の画像形成にタイミングを合わせて画像形成部６に再供給するべく、スイッチバック搬送経路５２５および用紙再搬送経路５２６を介して再搬送されるように構成されている。
【００３４】
次に、画像形成部６について説明する。画像形成部６は、転写搬送ベルト５２２ｃの上方であって転写搬送ベルト５２２ｃに近接して、第１の画像形成ステーションＰａ、第２の画像形成ステーションＰｂ、第３の画像形成ステーションＰｃ、および第４の画像形成ステーションＰｄが、用紙搬送経路上流側から順次並設しているものである。
【００３５】
各画像ステーションＰａ〜Ｐｄは、実質的に同一の構成を有し、用紙Ｐが転写搬送ベルト５２２ｃによって順次供給されるようになっている。また、各画像ステーションＰａ〜Ｐｄは、図１に示す矢印Ｆ方向に回転駆動される感光体ドラム６１ａ〜６１ｄをそれぞれ有している。
【００３６】
感光体ドラム６１ａの周辺には、感光体ドラム６１ａを一様に帯電する帯電器６２ａと、感光体ドラム６１ａ上に形成された静電潜像をそれぞれ現像する現像装置６３ａと、現像された感光体ドラム６１ａ上のトナー像を用紙Ｐへ転写する転写用放電器６４ａと、感光体ドラム６１ａ上に残留するトナーを除去するクリーニング装置６５ａとが感光体ドラム６１ａの回転方向に沿って順次配置されている。
【００３７】
各感光体ドラム６１ａの上方には、レーザービームスキャナユニット６６ａが設けられている。レーザービームスキャナユニット６６ａは、画像データに応じて変調されたドット光を発する半導体レーザ素子（図示せず）、半導体レーザ素子からのレーザービームを主走査方向に偏向させるためのポリゴンミラー（偏向装置）６７ａと、ポリゴンミラー６７ａにより偏向したレーザービームを感光体ドラム６１ａ表面に結像させるためのｆθレンズ６８ａやミラー６９ａ，７０ａなどから構成されている。なお、各画像ステーションＰｂ〜Ｐｄについても上記画像ステーションＰａの構成と同様であるが、以下の点で異なっている。
【００３８】
即ち、レーザービームスキャナ６６ａにはカラー原稿画像の黒色成分像に対応する画素信号が、レーザービームスキャナ６６ｂにはカラー原稿画像のシアン色成分像に対応する画素信号が、レーザービームスキャナ６６ｃにはカラー原稿画像のマゼンタ色成分像に対応する画素信号が、さらに、レーザービームスキャナ６６ｄにはカラー原稿画像のイエロー色成分像に対応する画素信号がそれぞれ入力されるようになっている。
【００３９】
これにより、色変換された原稿画像情報に対応する静電潜像が各感光体ドラム６１ａ〜６１ｄ上に形成される。現像装置６３ａには黒色のトナーが、現像装置６３ｂにはシアン色のトナーが、現像装置６３ｃにはマゼンタ色のトナーが、現像装置６３ｄにはイエロー色のトナーがそれぞれ収容されており、感光体ドラム６１ａ〜６１ｄ上の静電潜像は、これら各色のトナーにより現像される。これによって、画像形成部６にて色変換された原稿画像情報が各色のトナー像として再現される。
【００４０】
一方、第１の画像形成ステーションＰａと給紙機構５１との間には用紙吸着用（ブラシ）帯電器７１が設けられており、この用紙吸着用帯電器７１は転写搬送ベルト５２２ｃの表面を帯電させることにより、給紙機構５１から供給された用紙Ｐが、転写搬送ベルト５２２ｃ上に確実に吸着した状態で第１の画像形成ステーションＰａから第４の画像形成ステーションＰｄの間をずれることなく搬送することができるようになっている。
【００４１】
また、第４の画像ステーションＰｄと定着装置７との間で駆動ローラ５２２ａのほぼ真上部に除電器７２が設けられている。この除電器７２には、搬送ベルト５２２ｃに静電吸着している用紙Ｐを転写搬送ベルト５２２ｃから分離するための交流電流が印加されている。
【００４２】
上記構成により、以下、その動作を説明する。まず、用紙Ｐが、給紙カセット５１１から送り出されて給紙機構５１の給紙搬送経路のガイド内に供給されると、その用紙Ｐの先端部分がセンサー（図示せず）にて検知され、このセンサから出力される検知信号に基づいて、用紙Ｐは、一対のレジストローラ対５２１により一旦停止される。
【００４３】
次に、用紙Ｐは各画像ステーションＰａ〜Ｐｄへとタイミングをとって図１の矢印Ｚ方向に回転している転写搬送ベルト５２２ｃ上に送られる。このとき、転写搬送ベルト５２２ｃには前述したように吸着用帯電器７１により所定の帯電が施されているので、用紙Ｐは、各画像ステーションＰａ〜Ｐｄを通過する間、安定して搬送供給される。
【００４４】
各画像ステーションＰａ〜Ｐｄにおいては、各色のトナー像が、それぞれ形成され、転写搬送ベルト５２２ｃにより静電吸着されて搬送される用紙Ｐの支持面上で重ね合わされる。第４の画像ステーションＰｄによる画像の転写が完了すると、用紙Ｐは、その先端部分から順次、除電用放電器７２により転写搬送ベルト５２２ｃ上から剥離され、定着装置７へと導かれる。
【００４５】
トナー画像が定着した用紙Ｐは、最後に、切り換えゲート５２３から排出ローラ対５２４ａを通して用紙排出口（図示せず）から排紙トレイ５２４ｂ上に排出される。
【００４６】
≪画像処理部１０の回路説明≫
ここで、カラーデジタル複写機１に搭載されている本発明に係る画像処理部１０の構成およびその機能について説明する。
【００４７】
図２は図１のカラーデジタル複写機１における画像処理部１０の構成を示すブロック図である。図２において、カラーデジタル複写機１の画像処理部１０は、ＣＣＤラインセンサ４４からＲＧＢの各色成分が入力される画像データ入力部１１と、画像生成部１２と、ハードディスク（ＨＤ）装置やＲＡＭ（ランダムアクセスメモリ）などから構成される画像メモリ１３と、画像データ出力部１４と、画像編集部１５と、外部インターフェイス１６と、通信・プリンタ・ファックスインターフェイス１７と、特定パターン付加部１８と、中央処理ユニット（ＣＰＵ；中央処理装置）１９とを有している。これらの画像生成部１２、画像メモリ１３、画像データ出力部１４、外部インターフェイス１６、通信・プリンタ・ファックスインターフェイス１７、特定パターン付加部１８および中央処理ユニット（ＣＰＵ；中央処理装置）１９に、撮影手段としてのカメラ８および、ＰＣネットワーク９を加えて本発明の特徴部分を構成している。
【００４８】
画像データ入力部１１は、シェーディング補正回路１１１と、ライン合わせ部１１２と、センサ色補正部１１３と、ＭＴＦ補正部１１４と、γ補正部１１５とを有している。ＣＣＤラインセンサ４４は、白黒原稿またはカラー原稿画像を読み取ってＲＧＢの各色成分に色分解したラインデータを出力する３ラインのカラーＣＣＤである。シェーディング補正回路１１１は、ＣＣＤラインセンサ４４にて読み取られたラインデータのライン画像レベルを補正するものである。ライン合わせ部１１２は、ＣＣＤラインセンサ４４にて読み取られた画像ラインデータのずれを補正するラインバッファなどで構成されている。センサ色補正部１１３は、ＣＣＤラインセンサ４４から出力される各色のラインデータの色データを補正するものである。ＭＴＦ補正部１１４は、各画素の信号の変化にめりはりを持たせるように補正するものである。γ補正部１１５は、画像の明暗を補正して視感度補正を行うものである。
【００４９】
画像生成部１２は、モノクロデータ生成部１２１（白黒原稿）と、入力処理部１２２と、領域分離部１２３と、黒生成部１２４と、色補正回路１２５と、ズーム処理回路１２６と、中間調処理部１２８とを有している。モノクロデータ生成部１２１（白黒原稿）は、画像データ入力部１１から画像データバスを介して入力されるカラー画像信号のＲＧＢ信号よりモノクロデータを生成するものである。入力処理部１２２は、ＲＧＢ信号を記録装置の各記録部に対応したＹＭＣ信号に変換し、またクロック変換するものである。領域分離部１２３は、入力された画像データが文字部なのか網点写真なのか印画紙写真なのかをそれぞれを分離するものである。黒生成部１２４は、入力処理部１２２から出力されるＹＭＣ信号に基づいて下色除去処理を行い黒生成するものである。色補正回路１２５は、各色変換テーブルに基づいてカラー画像信号の各色を調整するものである。ズーム処理回路１２６は、設定されている倍率に基づいて入力された画像情報を倍率変換するものである。中間調処理部１２８は、多値誤差拡散や多値ディザなどの階調性を表現するためのものである。
【００５０】
画像メモリ１３は、中間調処理部１２８にて中間調処理された各色画像データを一旦貯えるものである。つまり、画像メモリ１３は、画像生成部１２からシリアル出力される８ビット４色（３２ビット）の画像データを順次受け取り、バッファに一時的に貯えながら３２ビットのデータから８ビット４色の画像データに変換して色毎の画像データとして記憶管理する４基のハードディスクＨＤ（回転記憶媒体）１３１ａ〜１３１ｄからなる。また、各画像ステーションの位置が異なるため、画像メモリ１３の遅延バッファメモリ１３２（半導体メモリ）に各色画像データを一旦記憶させ、それぞれ時間をずらすことにより、各レーザビームスキャナーユニット６６ａ〜６６ｄに画像データを送り、タイミングを合わせて色ずれを防ぐようにしている。
【００５１】
画像データ出力部１４は、中間調処理部１２８からの各色画像データに基づいてパルス幅変調を行うレーザコントロールユニット１４１と、レーザコントロールユニット１４１から出力される各色の画像信号に応じたパルス幅変調信号に基づいてレーザ記録を行う各色のレーザビームスキャナーユニット６６ａ〜６６ｄからなっている。
【００５２】
画像編集部１５は、画像データ入力部１１、画像生成部１２、または後述するインターフェース１６または１７を経て一旦、画像メモリ１３に記憶された画像データに対して所定の画像編集を施すためのものであり、画像データの編集作業は、画像合成用メモリ（図示せず）を用いて行われるようになっている。
【００５３】
外部インターフェース１６は、カラーデジタル複写機１とは別に設けられた外部の画像入力処理装置（通信携帯端末や、デジタルカメラ、デジタルビデオカメラなどのカメラ手段）からの画像データを受け入れるための通信インターフェース手段である。このカメラ手段として、操作者撮影用のカメラ８は、外部インターフェース１６と交信するようにしてもよいが、ここでは、図３に示すように中央処理ユニット（ＣＰＵ）１９に通信制御ライン（通信ケーブル）などで接続されているものとする。このインターフェース１６から入力される画像データも、一旦、画像生成部１２に入力して色空間補正などを行うことでデジタル複写機１の画像形成部６で取扱うことのできるデータレベルに変換して画像メモリ１３のハードディスク１３１ａ〜１３１ｄに記憶管理されるようになっている。
【００５４】
通信・プリンタ・ファックスインターフェイス１７は、パーソナルコンピュータ（ＰＣ）により作成された画像データ（文字データを含む）を、ＰＣネットワーク９を介して入力するプリンタインターフェースであり、また、ＦＡＸ受信した画像データを受け入れるための白黒またはカラーＦＡＸインターフェースである。このインターフェース１７から入力される画像データは、すでにＣＭＹＫ信号であり、一旦、中間調処理部１２８で中間調処理を施して画像メモリ１３のハードディスク１３１ａ〜１３１ｄに記憶管理されるようになっている。
【００５５】
特定パターン付加部１８は、撮影特定情報と、カラー画像形成装置としてのカラーデジタル複写機１を特定する画像形成装置特定情報とをパターン化した特定パターンを、コピーまたはプリント画像に付加するものである。また、撮影特定情報とは、カメラ８を特定するカメラ設置ナンバー、コマ情報（コマナンバーなど）および撮影時間情報などがあり、撮影情報としては操作者画像情報などがある。画像形成装置特定情報とは、カラー画像形成装置を特定する機種名（記号番号など）および生産番号（記号番号など）などがある。
【００５６】
中央処理ユニット（ＣＰＵ）１９は、画像データ入力部１１、画像生成部１２、画像メモリ１３、画像データ出力部１４、画像編集部１５、外部インターフェース１６および通信・プリンタ・ファックスインターフェイス１７を、所定のシーケンスに基づいて画像データバスを介して制御することにより、カラーコピーおよびカラープリントの何れかを行うようになっている。
【００５７】
また、中央処理ユニット（ＣＰＵ）１９は、カメラ８および特定パターン付加部１８を制御して、カメラ８から転送されてきたカメラ撮影特定情報を、カラーデジタル複写機１を特定する画像形成装置特定情報を持つ特定パターンに入れて新たな特定パターンとし、その新たな特定パターン（カメラ撮影特定情報と画像形成装置特定情報）を、コピーまたはプリント画像に付加するようにしている。これらの特定パターン付加部１８および中央処理ユニット（ＣＰＵ）１９により特定パターン付加手段が構成されている。
【００５８】
さらに、中央処理ユニット（ＣＰＵ）１９は、上記した各種制御手段の他、カラーコピー時はコピー動作中に操作者撮影を行い、また、カラープリント時はプリント動作終了後に排紙トレイ５２４ｂからの用紙Ｐの取り出しをセンサ（図示せず）により検出して操作者撮影を行うように、カメラ８を制御する撮影制御信号を出力する撮影制御手段としてのカメラ制御手段を有している。
【００５９】
以下、本発明の特徴部分として、カラーデジタル複写機１によるカラーコピーおよびカラープリント時の操作者撮影制御および特定情報付加制御について、図３〜図５を参照して更に詳細に説明する。
【００６０】
図３は、図２の中央制御ユニット（ＣＰＵ）１９による動作管理状態を示すブロック図である。なお、画像データ入力部１１、画像生成部１２、画像メモリ１３および画像データ出力部１４の詳細については、図２で説明した通りであって、重複するのでここでの説明は省略する。
【００６１】
図３において、中央制御ユニット（ＣＰＵ）１９は、前述したが、ＲＡＤＦ、スキャナー部、レーザープリンタ部など、カラーデジタル複写機１を構成する各駆動機構部をシーケンス制御により管理すると共に、各部に対して制御信号を出力するものである。
【００６２】
中央制御ユニット（ＣＰＵ）１９には、操作パネルからなる操作基板ユニット１９１が相互通信可能な状態で接続されており、操作パネルの各操作に応じて操作者が設定入力した複写モード内容を示す制御信号が、中央処理ユニット（ＣＰＵ）１９に転送されて、カラーデジタル複写機１に設定されたモードに応じて動作するように制御が為される。
【００６３】
また、中央制御ユニット（ＣＰＵ）１９からは、カラーデジタル複写機１の各種動作状態を示す制御信号を操作基板ユニット１９１へと転送して、操作基板ユニット１９１側では、この制御信号により装置が現在どのような状態にあるのか操作者に示すように表示部などにより動作状態を表示するようになっている。
【００６４】
図４は、図１のデジタルカラー複写機１とカメラ８およびＰＣネットワーク９との接続状態を示す模式図である。図４において、デジタルカラー複写機１とカメラ８（カメラ手段）の間は通信ケーブル８１（通信制御ライン）にて電気的に接続するかまたは、ワイヤレス通信を行い、デジタルカラー複写機１からの制御信号にてカメラ８を撮影動作させるようになっている。また、カメラ８の種類などによりカメラ８による撮影を特定するカメラ設置ナンバー、コマ情報（コマナンバーなど）または撮影時間情報をデジタルカラー複写機１に転送するようになっている。
【００６５】
カメラ８はスチルカメラであって、フィルム方式のものや、メモリ方式のもの（デジタルカメラ）、ビデオカメラなどを用いて１コマづつ撮るかまたは動画で撮影するものもある。撮影した操作者の画像データは、カメラ８内で保存してもよいし、デジタルカラー複写機１に転送し、デジタルカラー複写機１内の記憶手段にて保存してもよい。さらに、常時撮影せず、カラーコピーまたはプリント時の限られたときだけ撮影し、また、カラーコピー、カラープリントのマルチコピー時（同一のコピーまたはプリントの複数枚出力を操作部にて設定時）においては１枚目のみカメラ８で撮影し、２枚目以後は、カメラ８を動作させないことにより、撮影数量が少なくなって、カメラ８による操作者撮影を長期間可能とし、その撮影データの長期間保存を可能とするものである。
【００６６】
カメラ８を図４のようなレイアウトで設置すれば、カラーコピー時は操作者がデジタルカラー複写機１に向かってコピーの操作を行うので、コピー用紙が排紙した排紙トレイ５２４ｂを含むところで撮影すれば、操作者とコピー用紙の両方を撮影することが可能である。一方、カラープリント時は操作者がＰＣネットワーク９を介してＰＣ（パーソナルコンピュータ）からプリントの指示を行うため、プリント実行時はカラーデジタル複写機１の前に操作者がいないことになるので、操作者がプリント出力した用紙を取りにカラーデジタル複写機１のところまで来て、用紙Ｐを取上げた時に、これをセンサ（図示せず）が検知して、その検知出力によってカメラ８を撮影制御することで、対象となる人物（操作者）とプリント出力された用紙Ｐの両方を撮影することが可能となる。
【００６７】
図１、図２および図４にて、カメラ８からの操作者撮影を特定する撮影特定情報としての設置ナンバー、コマ情報（コマナンバーなど）および時間情報は、図２の特定パターン付加部１９に取り込まれて、デジタルカラー複写機１を特定するための画像形成装置特定情報としての機種名および生産番号と、カメラ８との相関を取るための撮影を特定する撮影特定情報としての設置ナンバー、コマ情報や時間情報とをパターン化し、図２の画像生成部１２で生成された画像に付加した状態で、画像メモリ１３を介して、画像データ出力部１４にてレーザ記録を行い、用紙Ｐ上にトナー像を転写形成し、さらに定着を行って、画像形成された用紙Ｐとして排出部に排出される。
【００６８】
カラーコピー時は、図１の画像読取り部４でカラー原稿を読み取り、図２の画像生成部１２で画像生成した後に、その生成した画像に、特定パターン付加部１８でパターン化した特定パターンを付加する特定パターン付加制御をする。また、カラープリント時は、図４のＰＣネットワーク９を介してパーソナルコンピュータ（ＰＣ）からの画像データが転送され、図２のインターフェース１７を介して画像生成部１２で画像生成した後に、その生成した画像に、特定パターン付加部１９でパターン化した特定パターンを付加する特定パターン付加制御をする。
【００６９】
図３を用いて、カラーデジタル複写機１とカメラ８とによる操作者撮影制御について説明すると、中央処理ユニット（ＣＰＵ）１９は、カメラ８と相互に通信可能な状態で接続されており、中央処理ユニット（ＣＰＵ）１９の方からは、カメラ８の撮影動作・停止の指示信号（制御信号）を出力する一方、カメラ８の方からカラーデジタル複写機１に、撮影を特定する設置ナンバー、コマ情報や時間情報をデータ転送すると共に、メモリー・フィルムの残量などの撮影残容量情報もデータ転送するようになっている。
【００７０】
上記構成により、以下、その動作を説明する。
【００７１】
図５はデジタルカメラを用いた本発明のシステム動作を示すフローチャートである。図５に示すように、まず、カメラ撮影特定情報をカメラ８から中央処理ユニット（ＣＰＵ）１９に送り（Ｆ１）、その情報でもって特定パターン付加部１８で、デジタルカラー複写機１を特定する機種名（記号）および生産番号をパターン化した特定パターン情報に、操作者撮影を特定する設置ナンバー、コマ情報および撮影時間情報を加える（Ｆ２）。
【００７２】
次に、カラーコピーの実行（Ｆ３）また、カラープリントの実行（Ｆ４）をジャッジし、どちらでも無い、即ち、モノクロのコピー時またプリント時は終了とする。
【００７３】
さらに、カラーコピーの実行時は、カラー原稿を読取り（Ｆ５）、画像生成部１２で生成された画像データに、操作者撮影特定情報および画像形成装置特定情報が加えられた特定パターンを付加し（Ｆ６）、画像メモリ（Ｆ７）を介して画像データ出力部にてレーザ記録（Ｆ８）を行い、用紙Ｐ上にトナー像を転写形成（Ｆ９）する。さらに、用紙Ｐへのトナー像の定着を行い（Ｆ１０）、画像形成した用紙が出力（Ｆ１１）されたかどうかをジャッジする。
【００７４】
画像形成された用紙Ｐが、出力（Ｆ１１）されたかどうかをジャッジするとあるが、これは、図１の用紙排出ローラ５２４ａ近辺に設けられたセンサ（図示しない）で、用紙Ｐが排出ローラ５２４ａに達すると，センサがオンとなり、用紙Ｐが排出ローラ５２４ａを抜けると，センサがオフとなるもので、これによって、センサが一度オンとなり、その後、センサがオフになると、用紙Ｐが出力完了（排紙完了）とジャッジするものである。
【００７５】
さらに、用紙Ｐが出力完了すると、マルチコピーの２枚目以後かどうかをジャッジし（Ｆ１２）、２枚目以後であれば終了し、１枚目の場合には中央処理ユニット（ＣＰＵ）１９からカメラ８に撮影を指示する撮影指示信号（制御信号）が出力（Ｆ１３）されて処理を終了とする。
【００７６】
また、カラープリントの実行時は、カラープリントの実行（Ｆ４）をジャッジし、ＰＣネットワーク９を介してパーソナルコンピュータ（ＰＣ）から画像データが転送され（Ｆ１４）、インターフェース１７を介して画像生成部１２で生成された画像データに、操作者撮影特定情報および画像形成装置特定情報が加えられた特定パターンを付加する（Ｆ１５）。画像メモリ１３（Ｆ１６）を介して画像データ出力部１４にてレーザ記録（Ｆ１７）を行い、用紙Ｐ上にトナー像を転写形成（Ｆ１８）させる。さらに、用紙Ｐへのトナー像の定着を行って（Ｆ１９）、画像形成された用紙Ｐが出力（Ｆ２０）される。
【００７７】
さらに、操作者が、プリント出力した用紙Ｐを排紙トレイ５２４ｂから取り上げるのをセンサによって検出（Ｆ２１）し、この検出信号を受けてマルチプリントの２枚目以後かどうかをジャッジし（Ｆ２２）、２枚目以後であれば処理を終了し、１枚目の場合には中央処理ユニット（ＣＰＵ）１９からカメラ８に撮影指示信号を出力（Ｆ２３）して処理を終了とする。
【００７８】
このセンサによる検出信号は、図１の排紙トレイ５２４ｂに用紙Ｐが出力されるとセンサがオンとなり、用紙Ｐを排紙トレイ５２４ｂから取上げると、センサがオフとなるものである。
【００７９】
以上により、画像処理部１０の中央処理ユニット（ＣＰＵ）１９が、カラーコピー時はコピー動作中にカメラ８による操作者範囲の撮影を行い、また、カラープリント時はプリント動作終了後に、排紙トレイ５２４ｂからの用紙の取り出しを検出してカメラ８による操作者範囲の撮影を行うように制御するため、コピーまたはプリント操作者などの関係者を容易かつ確実に撮影することができる。この場合に、カメラ８からの撮影特定情報とデジタルカラー複写機１を特定する画像形成装置特定情報とをパターン化した特定パターンを、コピーまたはプリント画像データに付加するようにしたため、撮影特定情報と画像形成装置特定情報との両情報により、コピーまたはプリント画像に応じて、カメラ８で撮影した関係者撮影画像を容易に特定することができる。したがって、紙幣などの全カラー禁止原稿のみならず、全カラー原稿に対して誰がコピーをしたのか誰がプリントしたのかを容易かつ確実に特定することができる。また、所定時だけの撮影動作としたので、撮影数量を少なくすることができて、カメラ８による関係者撮影を長期間行うことができ、撮影データの長期間保存もできる。
【００８０】
なお、図４では、デジタルカラー複写機１とカメラ８を分離した構成としているが、デジタルカラー複写機１とカメラ８を一体的に構成した場合でも同様の作用効果を奏する。
【００８１】
また、本実施形態では、用紙Ｐが出力完了した時点で、カメラ８に撮影を指示したが、（Ｆ５）から（Ｆ１３）の間で撮影を指示することも可能である。
【００８２】
さらに、本実施形態では、レーザービームスキャナユニット６６ａ〜６６ｄによって、レーザービームを走査して露光することにより、感光体ドラム６１ａ〜６１ｄへの光書き込みを行っているが、これに限らず、レーザービームスキャナユニット６６ａ〜６６ｄの代わりに、発光ダイオードアレイと結像レンズアレイからなる書き込み光学系（ＬＥＤヘッド）を用いてもよい。ＬＥＤヘッドはレーザービームスキャナーユニット６６ａ〜６６ｄに比べ、サイズも小さく、また可動部分がなく無音であるため、複数個の光書き込みユニットを必要とするタンデム方式のデジタルカラー複写機などの画像形成装置では、好適に用いることができる。
【００８３】
【発明の効果】
以上により、請求項１によれば、撮影手段からの撮影特定情報とカラー画像形成装置を特定する画像形成装置特定情報とをパターン化した特定パターンを、コピーまたはプリント画像データに付加するため、撮影特定情報と画像形成装置特定情報との両情報により、コピーまたはプリント画像に応じて、撮影手段で撮影した関係者撮影画像を特定することができる。したがって、紙幣などの全カラー禁止原稿のみならず、全カラー原稿に対して誰がコピーをしたのか誰がプリントしたのかを容易かつ確実に特定することができる。
【００８４】
また、カラーコピー時はコピー動作中に撮影手段による関係者撮影をし、また、カラープリント時はプリント動作終了後に、排紙部からの用紙の取り出しを検出して撮影手段による関係者撮影をするため、コピーまたはプリント操作者などの関係者を確実に撮影することができる。この場合に、所定時だけの撮影動作となるため、撮影数量を低減できて、撮影手段による関係者撮影を長期間でき、撮影データの長期間保存もできる。
【００８５】
また、請求項２によれば、操作者などの関係者とコピーまたはプリントされた用紙Ｐの両方を撮影することで、コピーまたはプリントした画像と関係者とを一致させることができて、全てのコピー禁止原稿に対して誰がコピーを取ったのか誰がプリントしたのかを容易かつ確実に特定することができる。
【００８６】
さらに、請求項３によれば、同一のカラーコピーまたはカラープリントを行うときは、１回だけの関係者撮影とすることで、その撮影数量がより少なくなって、関係者撮影が長期間でき、また、撮影データの長期間保存もできる。
【００８７】
さらに、請求項４によれば、カラー画像形成装置と撮影手段とを分離配置することにより、撮影手段を人の手の届かない所に設置することで、安全に関係者撮影をすることができる。また逆に、カラー画像形成装置と撮影手段とを一体化にすることで、カラー画像形成装置の設置時に撮影手段の面倒な配線処理や、撮影手段の取付けなどが不要となり、取り扱いが便利である。さらに、カラー画像形成装置に撮影手段による撮影機能を付加すればカメラなどの撮影手段を兼用することもできる。
【００８８】
さらに、請求項５によれば、撮影手段による撮影情報の保存の場合、例えばスチルカメラでは、撮影手段とフィルムまたはメモリが一体の構成となっているのが一般的であるため、汎用のものを容易に使用することができる。また、カラー画像形成装置による保存の場合、例えばビデオカメラにおいては、防犯用の撮影手段を用いて、撮影したデータはカラー画像形成装置で保存することで長期の撮影ができる。
【図面の簡単な説明】
【図１】本発明の一実施形態におけるデジタルカラー複写機の内部構成を示す正面断面図である。
【図２】図１のカラーデジタル複写機における画像処理部の構成を示すブロック図である。
【図３】図２の中央制御ユニット（ＣＰＵ）による動作管理状態を示すブロック図である。
【図４】図１のデジタルカラー複写機とカメラおよびＰＣネットワークとの接続状態を示す模式図である。
【図５】デジタルカメラを用いた本発明のシステム動作を示すフローチャートである。
【符号の説明】
１    デジタルカラー複写機
８    カメラ（カメラ手段）
９    ＰＣネットワーク
１０    画像処理部
１１    画像データ入力部
１２    画像生成部
１３    画像メモリ
１４    画像データ出力部
１６    外部インターフェイス
１７    通信・プリンタ・ファックスインターフェイス
１８    特定パターン付加部
１９    中央処理ユニット（ＣＰＵ）
【図１】
0003659403.tif 000002
【図２】
0003659403.tif 000003
【図３】
0003659403.tif 000004
【図４】
0003659403.tif 000005
【図５】
0003659403.tif 000006